(57)【要約】【課題】本発明は、並べて配置され、導電層が設けられた第１の面と第２の平行な面とを有する誘電体基板上に実現された少なくとも２つのスロットライン共振器（Ｒ１、Ｒ２）を備え、少なくとも２つの共振器のそれぞれは、導電層にエッチングされ、複数のターンをカウントする渦巻きパターンに従って折り曲げられたスロットライン（３）を備え、スロットラインが正に平行にまたは同心の部分を有するような形状係数を有するフィルタリング回路に関する。【解決手段】本発明の諸実施形態によれば、共振器のそれぞれの渦巻きパターンの少なくとも１つのターンは、少なくとも１つの不連続部（１０）を備え、少なくとも２つのスロットライン共振器の不連続部は、少なくとも２つのスロットライン共振器間の電磁結合を増大させるような方法で配置される。【選択図】図８
2015192454.tif 000002
【特許請求の範囲】
【請求項１】
導電層（２）が設けられた第１の面と第２の平行な面とを有する基板（１）上に並べて配置された少なくとも２つのスロットライン共振器（Ｒ１、Ｒ２）を備えたフィルタリング回路であって、
前記少なくとも２つの共振器のそれぞれは、
−  前記導電層（２）に設けられ、複数のターンを有する渦巻きパターンに従って折り曲げられたスロットライン（３）であって、前記スロットラインが平行部分または同心部分を有するように形状係数を有するスロットラインを備え、
前記共振器のそれぞれの前記渦巻きパターンの前記少なくとも１つのターンは、少なくとも１つの不連続部（１０）を備え、
前記２つのスロットライン共振器は、電磁結合のための隣接エッジを有し、各スロットライン共振器は、それぞれの前記隣接エッジでの結合部分と前記隣接エッジの反対側での非結合部分とを備え、前記渦巻きパターンの前記ターンの前記少なくとも１つの不連続部は、それぞれの前記スロットライン共振器の前記非結合部分に設けられる、前記フィルタリング回路。
【請求項２】
２つのスロットライン共振器を備え、前記２つのスロットライン共振器の前記渦巻きパターンは、正に同一であり、前記渦巻きパターンの一方は、前記渦巻きパターンの他方に対して１８０°回転される、請求項１に記載のフィルタリング回路。
【請求項３】
前記スロットラインの前記結合部分における電場は同相である、請求項１または２に記載のフィルタリング回路。
【請求項４】
前記少なくとも２つのスロットライン共振器の前記渦巻きパターンは、前記スロットライン共振器が励振されるとき、前記結合部分に最高の電場値が存在するように配置される、請求項１乃至３のいずれか一項に記載のフィルタリング回路。
【請求項５】
前記非結合部分の前記渦巻きパターンの各ターンは、不連続部を備える、請求項１乃至４のいずれか一項に記載のフィルタリング回路。
【請求項６】
前記渦巻きパターンの前記不連続部は、前記渦巻きパターンの前記中心を結ぶ軸上で整列される、請求項５に記載のフィルタリング回路。
【請求項７】
前記渦巻きパターンは、全体的な長方形または正方形を有する、請求項１乃至６のいずれか一項に記載のフィルタリング回路。
【請求項８】
前記渦巻きパターンは、少なくとも３つのターンを備える、請求項１乃至７のいずれか一項に記載のフィルタリング回路。
【請求項９】
少なくとも１つの供給構造体（４）は、前記基板上に設けられ、前記フィルタリング回路の入力共振器および出力共振器の前記スロットラインを供給する、請求項１乃至８のいずれか一項に記載のフィルタリング回路。
【請求項１０】
前記供給構造体は、前記基板の前記第２の面上に設けられ、前記渦巻きパターンの下に配置されたパッチ（４）を備え、前記パッチは、前記誘電体基板を通るビア（７）により前記スロットラインにつなげられる、請求項９に記載のフィルタリング回路。
【請求項１１】
各スロットライン共振器の前記ビアは、前記共振器の前記渦巻きパターンの正に中心に位置付けられる、請求項１０に記載のフィルタリング回路。
【請求項１２】
請求項１乃至１１のいずれか一項に記載の少なくとも１つのフィルタリングデバイスを備える、バンドパスフィルタ。
【請求項１３】
請求項１乃至１２のいずれか一項に記載の少なくとも１つのフィルタリングデバイスを備える、電子デバイス。
【発明の詳細な説明】
【技術分野】
【０００１】
本発明は、スロットライン共振器を有するフィルタリング回路に関し、より詳細には、従来の単一層または多層の基板に選択フィルタを作製するように特別に適合された小型のフィルタリング回路に関する。また本発明は、このような回路を含んだバンドパスフィルタに関し、これらのフィルタは、特に無線またはモバイル通信デバイスに適合されるが、これに限らない。
【背景技術】
【０００２】
新しいサービスの需要の拡大に伴い、モバイル通信のために、およびホームネットワークにおいて使用されるデバイスは、異なる周波数で、いくつかの基準に従って動作することができなければならない。この場合、これらの異なる基準に対応する信号の整合性を維持するために、高いクオリティファクタの共振器で構成された非常に狭帯域のフィルタを使用する必要がある。
【０００３】
一般に、このようなフィルタの実現は、一方ではフィルタの電気的性能と、他方ではそのコストおよびサイズとの間の妥協を必要とする。フィルタの性能は、一般的に、使用される共振器のクオリティファクタＱによって決まる。クオリティファクタが高いほど、フィルタの性能は良くなる。しかしながら、高いクオリティファクタＱは、そのコストが高い技術の使用を伴い、実現されるフィルタ、例えばＳＭＤ（ｓｕｒｆａｃｅ  ｍｏｕｎｔｅｄ  ｄｅｖｉｃｅ：表面実装デバイス）技術は、大抵の場合かさばるものであり、モバイルデバイスの必要性にほとんど適合しない。
【０００４】
一方、プリント回路の技術においては、一般的に、マイクロストリップラインを有する共振器が使用されるが、最近、フィルタの製造に新しいスロットライン共振器が出現した。こうした共振器の主な利点は、それらのクオリティファクタＱまたはそれらの共振周波数を制御するために、コンデンサ、レジスタ、またはバラクタなどの電子部品をそれ自体に統合することが非常に容易であることである。しかしながら、スロット構造における放射損失に特に注意を払わなければならない。さらに、マイクロストリップラインまたはコプレーナラインなどの、プリント回路上の標準的な伝送ラインからのそれらの励振は、それほど単純ではない。
【０００５】
これらのスパイラルスロットライン共振器のいくつかは、低コストかつ非常に小型のフィルタを設計するために結合されることが可能である。しかし、共振器の結合の調整は、あまり単純ではなく、共振器は、物理的制限（共振器の構造の幾何学図形的配列に関連する）および技術的制限（製造公差に制限される）に悩まされるので、共振器の高度な結合は、実現が困難である可能性がある。
【０００６】
本発明は、前述のことを考慮して考案された。
【先行技術文献】
【特許文献】
【０００７】
【特許文献１】仏国特許出願第１４５０７６９号明細書
【発明の概要】
【課題を解決するための手段】
【０００８】
本発明の第１の特徴は、導電層が設けられた第１の表面と第２の平行な表面とを有する誘電体基板上に並んで配置された少なくとも２つのスロットライン共振器を備えたフィルタリング回路を提供し、前記少なくとも２つの共振器のそれぞれは、
−  導電層においてエッチングされ、複数のターン（turn）を有する渦巻きパターンに従って折り曲げられたスロットラインであって、スロットラインが正に（noticeably）平行または同心の部分を有するような形状係数を有するスロットラインを含み、
共振器のそれぞれの渦巻きパターンの少なくとも１つのターンは、少なくとも１つの不連続部を備え、前記少なくとも２つのスロットライン共振器の不連続部は、前記少なくとも２つのスロットライン共振器間の電磁結合を増大させるような方法で配置される。
【０００９】
２つのスロットライン共振器は、電磁結合のための隣接エッジを有し、各スロットラインは、それぞれの隣接エッジでの結合部分と、隣接エッジの反対側での少なくとも１つの非結合部分とを備える。非結合部分は、隣接エッジに平行であって、隣接エッジから間隔を置かれている。渦巻きパターンのターンの少なくとも１つの不連続部は、スロットラインの非結合部分に設けられることが可能である。
【００１０】
本発明の諸実施形態によれば、２つの共振器間の結合は、共振器の渦巻きパターンに不連続部を作成することによって増大されることが可能である。
【００１１】
共振器間の電磁結合のレベルを増大させることにより、フィルタの伝送損失を減少させることができる。
【００１２】
特定の実施形態によれば、フィルタリング回路は、２つのスロットライン共振器を備え、前記２つのスロットライン共振器の渦巻きパターンは、正に同一であり、渦巻きパターンの一方は、前記渦巻きパターンの他方に対して１８０°回転される。
【００１３】
渦巻きパターンのこの構成は、２つの渦巻きパターンの隣接した部分に強いレベルの電場を提供することができる。
【００１４】
特定の実施形態によれば、２つのスロットライン共振器の渦巻きパターンは、隣接エッジを有し、これにより電磁結合が実現され、各渦巻きパターンが、結合と呼ばれる隣接エッジに連続した部分と、非結合と呼ばれる隣接エッジの反対側のエッジに連続した少なくとも１つの他の部分とを備え、渦巻きパターンのターンの少なくとも１つの不連続部は、渦巻きパターンの非結合部分に存在する。
【００１５】
特定の実施形態によれば、少なくとも２つのスロットライン共振器の渦巻きパターンは、スロットライン共振器が励振されるとき、結合部分に最高の電場値が存在するように、および結合部分の電場が同相である（同じ方向を有する）ように配置される。
【００１６】
特定の実施形態によれば、渦巻きパターンの各ターンは、不連続部を備える。
【００１７】
特定の実施形態によれば、渦巻きパターンの不連続部は、渦巻きパターンの中心を結ぶ軸上で整列される。
【００１８】
特定の実施形態によれば、渦巻きパターンは、全体的な長方形または正方形を有する。
【００１９】
特定の実施形態によれば、渦巻きパターンは、少なくとも３つのターンを備える。
【００２０】
特定の実施形態によれば、基板上に少なくとも１つの供給構造体が実現されて、入力共振器および出力共振器のスロットラインを供給する。例えば、少なくとも１つの供給構造体は、基板の第２の面に実現されることが可能である。
【００２１】
特定の実施形態によれば、供給構造体は、基板の第２の面に実現され、渦巻きパターンの下に配置されたパッチを備え、パッチは、誘電体基板を通るビアによりスロットラインにつなげられる。
【００２２】
特定の実施形態によれば、各スロットライン共振器のビアは、共振器の渦巻きパターンの正に中心に位置付けられる。
【００２３】
本発明の諸実施形態は、フィルタリング中の伝送損失を減少させるように結合され、配置された少なくとも２つのスロットライン共振器を備えるフィルタリング回路を提案する。
【００２４】
本発明の諸実施形態は、標準的な大量生産ライン上の、低コスト基板を用いたフィルタを実現するために、それらを近づけすぎることなくそれらを並べて配置しながら、共振器の強い結合が得られることを可能にするスロットライン共振器の配置を提案する。
【００２５】
本発明の別の特徴は、本発明の第１の特徴のいずれかの実施形態による少なくとも１つのフィルタリングデバイスを備えたバンドパスフィルタに関する。
【００２６】
本発明のさらに別の特徴は、本発明の第１の特徴のいずれかの実施形態による少なくとも１つのフィルタリングデバイスを備えた電子デバイスに関する。
【００２７】
例示として示す、添付の図で説明する、以下の例を読むと、当業者には他の利点もまた思いつかれるであろう。
【図面の簡単な説明】
【００２８】
【図１】渦巻きパターンに従って折り曲げられた２つのスロットライン共振器を備えた、従来技術によるフィルタリング回路の簡略化された図である。
【図２】スロットラインフィルタが、２つの導電層を特徴とする誘電体基板上に実現された、図１のフィルタリング回路のスロットライン共振器の断面図である。
【図３】図２の共振器の基板の第１の導電層の図である。
【図４】図２の共振器の基板の第２の導電層の図である。
【図５】図１のフィルタリング回路のＳにおける応答を示すグラフである。
【図６】スロットライン共振器が積み重ねられたフィルタリング回路の断面図である。
【図７】従来技術のスロットライン共振器の渦巻きパターンの図である。
【図８】本発明の第１の実施形態によるスロットライン共振器の渦巻きパターンの、渦巻きパターンのそれぞれのターンが不連続部を備える、図である。
【図９】図８のパターンを使用したフィルタリング回路のＳにおける応答を、図７のパターンを使用したフィルタリング回路のそれに関して示すグラフである。
【図１０】スロットライン共振器のパッチ間の距離ｇを示す、本発明によるフィルタリング回路の斜視図である。
【図１１】従来技術の図７の渦巻きパターンのスロットラインに沿った電場強度を概略的に示す図である。
【図１２】渦巻きパターンの別の構成を示す図である。
【図１３】図１２の渦巻きパターンのスロットラインに沿った電場強度を概略的に示す図である。
【図１４】図１３のパターンを使用したフィルタリング回路のＳにおける応答を示すグラフである。
【図１５】図８の渦巻きパターンのスロットラインに沿った電場強度を概略的に示す図である。
【図１６】フィルタの中心周波数が約５ＧＨｚとなるように後者の要素をサイズ変更した後の、図８のパターンを使用したフィルタリング回路のＳにおける応答を示すグラフである。
【図１７】本発明の第２の実施形態によるスロットライン共振器の渦巻きパターンの図である。
【図１８】図１７のパターンを使用したフィルタリング回路のＳにおける応答を示すグラフである。
【図１９】本発明の第３の実施形態によるスロットライン共振器の渦巻きパターンの図である。
【図２０】図１９のパターンを使用したフィルタリング回路のＳにおける応答を示すグラフである。
【図２１】本発明の第４の実施形態によるスロットライン共振器の渦巻きパターンの図である。
【図２２】本発明の第５の実施形態によるスロットライン共振器の渦巻きパターンの図である。
【発明を実施するための形態】
【００２９】
図１は、フィルタを形成するように並べて配置された２つの結合された共振器Ｒ１およびＲ２の簡略化された図を示す。２つの共振器のそれぞれは、図２から４に概略的に示すように、渦巻きスロットライン共振器である。これらの図は、共振器Ｒ１をより詳細に示す。このような共振器は、例えば、特許文献１に記載されている。
【００３０】
共振器は、その面のそれぞれに導電層を特徴とする誘電体基板上に実現される。図２から４はそれぞれ、その上に共振器が実現される基板の断面図、基板の下面の図および上面の図を示す。
【００３１】
より詳細には、誘電体基板１には、その面の一方に、スロットラインが渦巻きパターン３にエッチングされた導電層２が設けられている。このスロットラインは、共振器の動作周波数の関数である幅Ｗｓおよび長さＬを有する。
【００３２】
導電層２の反対側の基板の面では、導電層で作製されたパッチ４が実装されている。このパッチ４は、共振するものではなく、スロットラインをフィードすることに関与する。それは、幅Ｗｐおよび長さＤｐを有し、図３に点線で示されるように、渦巻きパターンを覆う。さらに、スロットライン３は、２つの平行なスロット間の間隔がＧｓに等しくなるように、渦巻きパターンに折り曲げられる。図２に示すように、渦巻きパターン３は、パッチ４と相互接続され、金属板のビア７によるマイクロストリップライン／コプレーナ導波管変換器を形成する。一方、パッチ４は、一般に５０オームインピーダンスのラインであるフィードライン５に接続される。パッチ４は、パッチによって提供されるインピーダンスが、フィードライン５のインピーダンスに対応するように、インピーダンス変成器６の中間物を介して５０オームライン５に接続される。
【００３３】
以下の表１は、５ＧＨｚに近い周波数における共振を得るために共振器の様々な要素の長さおよび幅に使用される値を表示する。
【００３４】
【表１】
2015192454.tif 000003
【００３５】
この実施形態では、スロットラインは、正方形のパターンに正に従って渦巻きに折り曲げられ、その中心で金属パッチ４までのビア７によって励振され、パッチは、フィードライン５によって供給される。示される寸法については、共振器は、５．１１ＧＨｚの周波数で共振する。
【００３６】
図１に示されるフィルタリング回路については、共振器Ｒ１のフィードラインは、フィルタの入力を形成するが、共振器Ｒ２用のフィードは、フィルタの出力を形成する。
【００３７】
予め定義された２つの共振器Ｒ１およびＲ２を備えた図１のフィルタのＳにおける応答は、図５に示される。Ｓ（１，１）は、フィルタの挿入損失を示し、Ｓ（２，１）は、フィルタの伝送損失を示す。フィルタの中心周波数は、共振器Ｒ１およびＲ２の共振周波数、すなわち５．１１ＧＨｚに対応する。このフィルタの伝送損失は非常に高く、−８ｄＢ程度である。したがって、フィルタのＳにおける応答を向上させるために、２つの共振器間の結合を増大させることが必要と思われる。
【００３８】
図６に概略的に示すように、多層構造で互いに積み重ねられた共振器など、より複雑な結合構造が開発されたが、共振器間の強力な結合を得るには、２つの共振器を隔てる距離ｇは、非常に小さく、０．１ｍｍ程度でなければならず、これは、大量生産ラインにおいて標準的な低コストの基板で容易に実現されることが可能ではないことに注意することができる。さらに、４層を有する標準的なＦＲ４基板上に共振器を積み重ねたこのような構造は、積み重ねられる共振器の数を２に制限する。
【００３９】
本発明の諸実施形態によれば、（この特許出願の前文において述べられる制限を有する）２つのスロットライン共振器の隣接エッジをできるだけ近くにしようとする代わりに、従来技術（不連続部がない）を説明する図７と比較される図８に示すように、スロットライン３の渦巻きパターンに不連続部１０を作成することによって２つの共振器間の電磁結合を増大させることが提案される。
【００４０】
スロットラインのこれらの不連続部は、図８で参照される１０である。渦巻きパターン３は導電層２においてエッチングされ、後者は、不連続部１０のレベルで保たれる。これらの不連続部の効果は、これが図９の図によって示されるように、２つの共振器Ｒ１とＲ２との間の電磁結合を非常に増大させること、およびフィルタの中心周波数を増大させることであるとシミュレーションは示している。２つの共振器間の結合レベルの増大は、フィルタの伝送損失Ｓ（２，１）のレベルを著しく減少させることができる。図８に提案される構成で、伝送損失は、不連続部のない場合の−８ｄＢと比べて、−０．８ｄＢ程度となる。フィルタの中心周波数は、不連続部のない５．１１ＧＨｚに代わって、３．８ＧＨｚ程度となる。
【００４１】
説明の残りの部分では、本発明の実施形態が、様々な実施形態を通してより詳細に述べられ、本発明に使用される現象が説明される。以下に記載するすべての実施形態では、フィルタは、図１０に示すように、０．２ｍｍに等しい距離ｇだけ離れた２つのスロットライン共振器Ｒ１およびＲ２を備える。距離ｇは、２つの共振器のパッチの隣接エッジ間の距離である。
【００４２】
図１および図７（従来技術）のパスバンドフィルタの動作が、最初に説明される。その中にスロットライン共振器が並べて配置されたこのフィルタは、フィルタの中心周波数で−８ｄＢ程度の著しい伝送損失を有する。これは、共振器がそれらの共振器周波数に十分に結合される能力がなく、この弱い結合がフィルタの帯域幅の信号の小部分の伝送しか可能にしないことを意味する。図１１は、動作状態の２つの共振器のスロットラインに沿った電場の強度および位相（方向）を示す。電場は、そのサイズが電場の強度に比例し、その底部の反対側の点が電場の位相（方向）を示す二等辺三角形によって表される。
【００４３】
図１１は、隣接している２つの共振器Ｒ１およびＲ２のスロットライン部分の電場が反対位相であることを示し、これは部分的にはそれらの弱い結合を説明する。これらの隣接したライン部分は、図１１の点線楕円内にあるスロットライン部分である。
【００４４】
渦巻きパターンの第２の構成が図１２に提案される。この新しい構成の目的は、２つの共振器Ｒ１およびＲ２に隣接するライン部分の電場を位相に（同じ方向に）入れることである。図１３は、この構成で動作状態の２つの共振器のスロットラインに沿った電場の強度および方向を示す。図１４は、この構成を有するフィルタのＳ（パラメータＳ（ｉ，ｊ））における応答を示す。−８ｄＢから−６．２ｄＢに変わるパラメータＳ（２，１）のわずかな改善にかかわらず、帯域幅の伝送損失は依然として非常に高い。これは、２つの渦巻きパターンの一方（左側の共振器のそれ）については、共振器の結合部分に最大電場が設定されず、したがって２つの共振器間の電力の伝達を減少させることによるものである。
【００４５】
図に示すように、２つの渦巻きスロットライン共振器間で電磁結合を実現することは、比較的困難である。作り出される伝送損失は、現実の世界では、それらを実際に使用できないものにする。
【００４６】
この問題を解決するために、図８に示すように、渦巻きパターンの特定の構成と関連する２つの渦巻きパターンの非結合部分において渦巻きパターン部分のターンに不連続部分を導入すると、２つのスロットライン共振器間の結合を著しく増大させることができることが観察された。パターンの結合部分は、他のパターンに隣接しているパターンのエッジ上の連続したパターン部分を示す。パターンの非結合部分は、隣接したパターンの反対側のエッジ上の連続したパターン部分を示す。
【００４７】
図１５は、この構成における動作状態の２つの共振器のスロットラインに沿った電場の強度および位相を示す。この構成では、渦巻きパターンの結合部分で、電場が最大であり、同相であることに注意する。結果として、図９に示すように、−０．８ｄＢ程度の低い伝送損失となる。
【００４８】
観察される低い伝送損失は、不連続部の存在および渦巻きパターンの構成の結果到達される上述の２つの同時に起こる状態の結果得られる。それらの状態とは：
−  ２つの共振器の結合部分の電場は最大であること；
−  ２つの共振器の結合部分の電場は同相である（同じ方向を有する）こと
である。
【００４９】
不連続部の存在は、共振周波数を下げ、これが回路の小型化に寄与することに注意する。この現象の考えられる説明は、不連続部が容量／誘電素子として働いて、共振器の有効共振周波数を下げることである。
【００５０】
共振器が５ＧＨｚのバンドパスフィルタを得るようにサイズ変更される場合、図１６の図で示されるフィルタ応答が得られる。
【００５１】
伝送損失（Ｓ（２，１））は、本発明の実施形態で−０．８ｄＢ程度である。また、５．１５ＧＨｚの中心周波数前後の３００ＭＨｚの帯域でＳ（１，１）＜−２０ｄＢの、フィルタの優れたインピーダンス整合が観察される可能性がある。
【００５２】
図８で示すこの実施形態では、渦巻きパターンの各ターンが不連続部を備える。これらの不連続部は、パターンの非結合部分に存在する。これらの不連続部はさらに、２つの渦巻きパターンの中心を結ぶ軸Ｘ上に配置される。この実施形態では、したがって不連続部は整列されている。
【００５３】
図１７で示される別の実施形態によれば、不連続部は、もはやＸ軸上で整列されておらず、それらの少なくとも１つについては、この軸の上方または下方に配置されている。この渦巻きパターンは３ターンを備え、不連続部の１つがＸ軸上に位置付けられ、他の２つの不連続部は、それぞれＸ軸の上方および下方に位置付けられる。図１８で示されるこのフィルタの結果は、このフィルタのＳにおける応答は、不連続部がＸ軸上に位置付けられた場合に比べて、ほとんど変化しないことを示す。
【００５４】
前述の実施形態では、渦巻きパターンのターンの全体的な形状は、正に正方形である。特定の実施形態によれば、この形状係数を変更することが提案される。図１９は、その寸法は、（Ｘ軸上で）幅が低減され、（Ｘ軸に対して垂直なＹ軸上で）高さが増大されて、全体的な長方形のターンを得た渦巻きパターンの場合を示す。図１９の例では、スロットラインの長さＬを保持するために、Ｘ軸上のターンの寸法に０．８の係数が適用され、Ｙ軸上のターンの寸法に１．２の係数が適用された。スロットラインの幅Ｗｓおよびスロットライン隣接部分間の空間Ｇｓもまた、保たれた。また図２０に示す結果は、この構成が、やはり極めて効果的であること、すなわち、３．８ＧＨｚの周波数でＳ（２，１）＝−０．７７ｄＢであることを示す。伝送損失Ｓ（２，１）は、反対側のスロットライン部分の長さが増大するために、さらに低減される。これは、２つの共振器間の結合を強くするように働く。
【００５５】
他の実施形態によれば、渦巻きパターンのターンは、図２１で示すように、ターンあたり２つ以上の不連続部を備える、または、ターンの一部は、図２２で示すように、不連続部がない。シミュレーションは、これらの変更が、フィルタのＳにおける応答の変動をもたらすが、従来技術よりも低い伝送損失を保つことを示した。
【００５６】
上述の諸実施形態は、例として提供された。それらが、特に渦巻きパターンの形状、それらの寸法、それらのターン数、ターンあたりの不連続部の数、および不連続部の位置に関して変更されることが可能であることは、当業者には明らかである。
【００５７】
先行したものに対して、本発明の諸実施形態は、次の利点を得ると考えられることが可能である。それらの利点とは：
−  フィルタの帯域幅においてゼロに近い伝送損失；
−  フィルタのサイズの低減；
−  標準的な大量生産ラインを用いた製造の簡略化および低製造コスト
である。
【図１】
2015192454.tif 000004
【図２】
2015192454.tif 000005
【図３】
2015192454.tif 000006
【図４】
2015192454.tif 000007
【図５】
2015192454.tif 000008
【図６】
2015192454.tif 000009
【図７】
2015192454.tif 000010
【図８】
2015192454.tif 000011
【図９】
2015192454.tif 000012
【図１０】
2015192454.tif 000013
【図１１】
2015192454.tif 000014
【図１２】
2015192454.tif 000015
【図１３】
2015192454.tif 000016
【図１４】
2015192454.tif 000017
【図１５】
2015192454.tif 000018
【図１６】
2015192454.tif 000019
【図１７】
2015192454.tif 000020
【図１８】
2015192454.tif 000021
【図１９】
2015192454.tif 000022
【図２０】
2015192454.tif 000023
【図２１】
2015192454.tif 000024
【図２２】
2015192454.tif 000025
【外国語明細書】
2015192454000001.pdf